【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
燃料電池内に配置され、前記燃料電池内の電解質膜に沿った第１の方向にガスを流すためのガス流路形成部材であって、
前記第１の方向と交差する第２の方向に平行に延びるガス流路形成要素を複数備え、
前記各ガス流路形成要素は、前記第２の方向に沿った断面が波形状であり、
前記各ガス流路形成要素は、前記第１の方向に連接されており、
前記ガス流路形成部材の前記第１の方向における端部に位置する前記ガス流路形成要素の少なくとも一部は、前記第１の方向と前記第２の方向とで形成される平面において、前記第２の方向に対して斜めに切断されて形成されている、
ガス流路形成部材。
【請求項２】
請求項１に記載のガス流路形成部材であって、
前記端部は、前記燃料電池から酸化ガスを排出する側の端部である、ガス流路形成部材。
【請求項３】
請求項１又は請求項２に記載のガス流路形成部材であって、
前記各ガス流路形成要素は、隣合う前記ガス流路形成要素同士の波形状の断面の位相が異なるように、前記第１の方向に連接されている、ガス流路形成部材。
【請求項４】
燃料電池内に配置され、前記燃料電池内の電解質膜に沿った第１の方向にガスを流すためのガス流路形成部材の製造方法であって、
前記第１の方向と交差する第２の方向に平行に延びるガス流路形成要素を複数備え、
前記各ガス流路形成要素は、前記第２の方向に沿った断面が波形状であり、
前記各ガス流路形成要素は、前記第１の方向に連接されたガス流路形成部材を用意する工程と、
前記用意されたガス流路形成部材を切断機により前記第１の方向と前記第２の方向とで形成される平面に対して交差する方向である第３の方向から応力を加えて所定の形状に切断する工程と、を備え、
前記切断する工程では、前記ガス流路形成部材の前記第１の方向における端部に位置する前記ガス流路形成要素の少なくとも一部を、前記平面において、前記第２の方向に対して斜めに切断する、
ガス流路形成部材の製造方法。
【請求項５】
複数のセルが積層された燃料電池であって、
前記セルは、電解質膜を備える膜電極接合体と、前記膜電極接合体と向かい合って配置されたセパレータと、前記膜電極接合体と前記セパレータとの間に配置され、前記電解質膜に沿った第１の方向にガスを流すためのガス流路形成部材と、を有し、
前記ガス流路形成部材は、
前記第１の方向と交差する第２の方向に平行に延びるガス流路形成要素を複数備え、
前記各ガス流路形成要素は、前記第２の方向に沿った断面が波形状であり、
前記各ガス流路形成要素は、前記第１の方向に連接されており、
前記ガス流路形成部材の前記第１の方向における端部に位置する前記ガス流路形成要素の少なくとも一部は、前記第１の方向と前記第２の方向とで形成される平面において、前記第２の方向に対して斜めに切断されて形成されている、燃料電池。
【手続補正２】
【補正対象書類名】明細書
【補正対象項目名】０００６
【補正方法】変更
【補正の内容】
【０００６】
（１）本発明の一形態によれば、燃料電池内に配置され、前記燃料電池内の電解質膜に沿った第１の方向にガスを流すためのガス流路形成部材が提供される。このガス流路形成部材は、前記第１の方向と交差する第２の方向に平行に延びるガス流路形成要素を複数備え；前記各ガス流路形成要素は、前記第２の方向に沿った断面が波形状であり；前記各ガス流路形成要素は、前記第１の方向に連接されており；前記ガス流路形成部材の前記第１の方向における端部に位置する前記ガス流路形成要素の少なくとも一部は、前記第１の方向と前記第２の方向とで形成される平面において、前記第２の方向に対して斜めに切断されて形成されている。このような形態のガス流路形成部材であれば、端部に位置するガス流路形成要素の少なくとも一部と第２の方向とが平行に切断されている場合に比べて、端部に位置するガス流路形成要素の断面の形状が一様ではない。そのため、ガス流路形成部材の端部におけるガス流路が一様に狭くなることが抑制されるので、良好にガスを流すことができる。
【手続補正３】
【補正対象書類名】明細書
【補正対象項目名】０００９
【補正方法】変更
【補正の内容】
【０００９】
（４）本発明の他の態様によれば、燃料電池内に配置され、前記燃料電池内の電解質膜に沿った第１の方向にガスを流すためのガス流路形成部材の製造方法が提供される。この方法においては、前記ガス流路形成部材は、前記第１の方向と交差する第２の方向と平行に延びるガス流路形成要素を複数備え；前記各ガス流路形成要素は、前記第２の方向に沿った断面が波形状であり；前記各ガス流路形成要素は、前記第１の方向に連接されたガス流路形成部材を用意する工程と；前記用意されたガス流路形成部材を切断機により前記第１の方向と前記第２の方向とで形成される平面に対して交差する方向である第３の方向から応力を加えて所定の形状に切断する工程と、を備え；前記切断する工程では、前記ガス流路形成部材の前記第１の方向における端部に位置する前記ガス流路形成要素の少なくとも一部を、前記平面において、前記第２の方向に対して斜めに切断する。このような方法によれば、第３の方向から用意されたガス流路形成部材に対して加えられた応力によって端部に位置するガス流路形成要素の形状が変形しても、ガス流路形成要素の延びる方向と第２の方向とが平行になるように切断される場合に比べて、断面の形状が一様に変形することを抑制することができる。そのため、ガス流路形成部材の端部におけるガス流路が一様に狭くなることが抑制されるので、良好にガスを流すことができる。
【手続補正４】
【補正対象書類名】明細書
【補正対象項目名】００１０
【補正方法】変更
【補正の内容】
【００１０】
（５）本発明の他の形態によれば、複数のセルが積層された燃料電池が提供される。前記セルは、電解質膜を備える膜電極接合体と、前記膜電極接合体と向かい合って配置されたセパレータと、前記膜電極接合体と前記セパレータとの間に配置され、前記電解質膜に沿った第１の方向にガスを流すためのガス流路形成部材と、を有し；前記ガス流路形成部材は；前記第１の方向と交差する第２の方向に平行に延びるガス流路形成要素を複数備え；前記各ガス流路形成要素は、前記第２の方向に沿った断面が波形状であり；前記各ガス流路形成要素は、前記第１の方向に連接されており；前記ガス流路形成部材の前記第１の方向における端部に位置する前記ガス流路形成要素の少なくとも一部は、前記第１の方向と前記第２の方向とで形成される平面において、前記第２の方向に対して斜めに切断されて形成されている。このような燃料電池であれば、端部におけるガス流路が一様に狭いガス流路形成部を備えるセルや、端部におけるガス流路が一様に広いガス流路形成部を備えるセルが燃料電池において混在することを防ぐことができる。よって、燃料電池の発電性能の低下を抑制することができる。
【手続補正５】
【補正対象書類名】明細書
【補正対象項目名】００１４
【補正方法】変更
【補正の内容】
【００１４】
前端側におけるエンドプレート７０Ｆと絶縁板６５Ｆとターミナルプレート６０Ｆには、燃料ガス供給孔７２ｉ及び燃料ガス排出孔７２ｔと、複数の酸化ガス供給孔７４ｉ及び酸化ガス排出孔７４ｔと、複数の冷却水供給孔７６ｉ及び冷却水排出孔７６ｔと、が設けられている。これらの供給孔及び排出孔は、各セル１０の対応する位置に設けられているそれぞれの孔（不図示）と連結して、それぞれに対応するガスあるいは冷却水の給排マニホールドを構成する。その一方、後端側におけるエンドプレート７０Ｅと絶縁板６５Ｅとターミナルプレート６０Ｅには、これらの給排孔は設けられていない。これは、反応ガス（燃料ガス，酸化ガス）及び冷却水を前端側のエンドプレート７０Ｆからそれぞれのセル１０に対して供給マニホールドを介して供給しつつ、それぞれのセル１０からの排出ガス及び排出水を前端側のエンドプレート７０Ｆから外部に対して排出マニホールドを介して排出するタイプの燃料電池であることによる。ただし、これに限定されるものではなく、例えば、前端側のエンドプレート７０Ｆから反応ガス及び冷却水を供給し、後端側のエンドプレート７０Ｅから排出ガス及び排出水が外部へ排出されるタイプ等の種々のタイプとすることができる。
【手続補正６】
【補正対象書類名】図面
【補正対象項目名】図２
【補正方法】変更
【補正の内容】
【図２】
2015088328.tif 000001
【手続補正７】
【補正対象書類名】図面
【補正対象項目名】図５
【補正方法】変更
【補正の内容】
【図５】
2015088328.tif 000002